(57)【要約】【課題】データベースを構築したり電話機にデータベースからの情報収集機能を追加したりすることなく、複数の電話機間で発信履歴を共有する。【解決手段】交換機は、複数の電話機が接続される電話機インタフェースと、電話機のいずれかである第１の電話機から第１の電話機の発信先への発信を検知すると、発信先の電話番号を、通知された電話番号を記憶して記憶された電話番号へ発信する機能を備えた電話機である、第１の電話機以外の第２の電話機に通知する制御手段と、を備える。【選択図】      図９
2015056827.tif 000002
【特許請求の範囲】
【請求項１】
複数の電話機が接続される電話機インタフェースと、
前記電話機のいずれかである第１の電話機から前記第１の電話機の発信先への発信を検知すると、前記発信先の電話番号を、通知された電話番号を記憶して前記記憶された電話番号へ発信する機能を備えた、前記第１の電話機以外の前記電話機である第２の電話機に通知する制御手段と、
を備える交換機。
【請求項２】
前記第２の電話機への通知は、前記第２の電話機に対して前記電話番号へ発信させる指示である、請求項１に記載された交換機。
【請求項３】
前記制御手段は、前記指示による前記第２の電話機から前記発信先への発信を不完了呼として処理する、請求項２に記載された交換機。
【請求項４】
前記第２の電話機への通知は、前記第２の電話機に対する前記発信先の電話番号を通知した発信である、請求項１に記載された交換機。
【請求項５】
グループと、前記複数の電話機のうち前記グループに属する電話機との対応関係を記憶する記憶手段をさらに備え、
前記制御手段は、前記グループに属する電話機からの発信を検知した場合には前記記憶手段に記憶された前記対応関係に基づいて前記第２の電話機を選択し、前記選択された前記第２の電話機に対して前記発信先の電話番号を通知する、
請求項１乃至４のいずれかに記載された交換機。
【請求項６】
前記制御手段は、前記第１の電話機から前記発信先への発信に含まれる特殊番号に対応する識別子を、前記第２の電話機に対して前記発信先の電話番号とともに通知する、請求項１乃至５のいずれかに記載された交換機。
【請求項７】
複数の電話機に同時に着信させるマルチリンギング機能をさらに備える、請求項１乃至６のいずれかに記載された交換機。
【請求項８】
請求項１乃至７のいずれかに記載された交換機と、通知された電話番号を記憶して前記記憶された電話番号へ発信する機能を備えた電話機とを備え、前記電話機が前記交換機に接続される、通信システム。
【請求項９】
接続された複数の電話機のいずれかである第１の電話機から前記第１の電話機の発信先への発信を検知し、
前記発信先の電話番号を、通知された電話番号を記憶して前記記憶された電話番号へ発信する機能を備えた、前記第１の電話機以外の前記電話機である第２の電話機に通知する、
交換機の制御方法。
【請求項１０】
交換機が備えるコンピュータに、
接続された電話機のいずれかである第１の電話機から前記第１の電話機の発信先への発信を検知する処理、
前記発信先の電話番号を、通知された電話番号を記憶して前記記憶された電話番号へ発信する機能を備えた、前記第１の電話機以外の前記電話機である第２の電話機に通知する処理、
を行わせるための交換機の制御プログラム。
【発明の詳細な説明】
【技術分野】
【０００１】
本発明は、交換機、交換機の制御方法及び交換機の制御プログラムに関し、特に、交換機に接続された電話機の発信先の情報を、他の電話機と共有させるための機能を備える交換機、交換機の制御方法及び交換機の制御プログラムに関する。
【背景技術】
【０００２】
企業において、ある職場に所属する従業員が、他の職場に駐在して業務を行うことがある。そして、複数の職場で業務を行う従業員のために、それぞれの職場に当該従業員に専用の電話機が用意される場合がある。用意された複数の電話機の発信履歴をそれぞれの電話機の間で共有させることで、ある電話機から発信した相手先が不在であった場合でも、従業員は、他の職場の自分の電話機から、不在であった相手先に再発信することができる。
【０００３】
複数の電話機間で情報を共有する技術として、特許文献１には、複数の端末の情報がメモリ管理ノードに保持され、端末からの要求により保持された情報が端末に送信されるシステムが記載されている。また、特許文献２には、呼接続制御サーバに接続されたデータベースによって、複数の端末の発着信履歴が一元管理される情報共有システムが記載されている。すなわち、特許文献１、２には、メモリ管理ノードあるいはデータベースに他の電話機の発信履歴が蓄積される構成が記載されている。そして、端末は、メモリ管理ノードあるいはデータベースから発信履歴を取得することで、発信履歴を共有することができる。
【先行技術文献】
【特許文献】
【０００４】
【特許文献１】特開２００２−１８５６１４号公報（［００１５］段落、図１）
【特許文献２】特開２００４−０５６２３５号公報（［００６６］段落、図１、図１０）
【発明の概要】
【発明が解決しようとする課題】
【０００５】
しかしながら、特許文献１、２に記載された技術では、複数の電話機で発信履歴を共有するためにメモリ管理ノードあるいはデータベースを設置する必要がある。加えて、電話機にも発信履歴を収集する機能が必要となる。すなわち、特許文献１、２に記載された技術には、複数の電話機で発信履歴を共有するために、発信履歴を管理するためのデータベース等の機器の設置が必要であるとともに、電話機にはメモリ管理ノードあるいはデータベースから発信履歴を収集する機能が必要となるという課題があった。
【０００６】
本発明の目的は、データベースを構築したり電話機にデータベースからの情報収集機能を追加したりすることなく、複数の電話機間での発信履歴の共有を可能とする、交換機、交換機の制御方法及び交換機の制御プログラムを提供することにある。
【課題を解決するための手段】
【０００７】
本発明の交換機は、複数の電話機が接続される電話機インタフェースと、前記電話機のいずれかである第１の電話機から前記第１の電話機の発信先への発信を検知すると、前記発信先の電話番号を、通知された電話番号を記憶して前記記憶された電話番号へ発信する機能を備えた前記電話機である、前記第１の電話機以外の第２の電話機に通知する制御手段と、を備える。
【０００８】
本発明の交換機の制御方法は、接続された複数の電話機のいずれかである第１の電話機から前記第１の電話機の発信先への発信を検知し、前記発信先の電話番号を、通知された電話番号を記憶して前記記憶された電話番号へ発信する機能を備えた、前記第１の電話機以外の前記電話機である第２の電話機に通知する、ことを特徴とする。
【０００９】
本発明の交換機の制御プログラムは、交換機が備えるコンピュータに、接続された電話機のいずれかである第１の電話機から前記第１の電話機の発信先への発信を検知する処理、前記発信先の電話番号を、通知された電話番号を記憶して前記記憶された電話番号へ発信する機能を備えた、前記第１の電話機以外の前記電話機である第２の電話機に通知する処理、を行わせる。
【発明の効果】
【００１０】
本発明の交換機、交換機の制御方法及び交換機の制御プログラムは、発信履歴を共有するためのデータベースの構築や、電話機へのデータベースからの情報収集機能の追加を行うことなく、複数の電話機間での発信履歴の共有を可能とする。
【図面の簡単な説明】
【００１１】
【図１】第１の実施形態の交換システムの構成を示す図である。
【図２】第１の実施形態で用いられる交換機の構成を示すブロック図である。
【図３】第１の実施形態の交換システムにおける、電話機の発信処理の手順を示す図である。
【図４】第２の実施形態の交換システムにおける、電話機の発信処理の手順を示す図である。
【図５】第３の実施形態の交換システムの構成を示す図である。
【図６】第３の実施形態で用いられる交換機の構成を示すブロック図である。
【図７】第３の実施形態の交換システムにおける、電話機の発信処理の手順を示す図である。
【図８】第４の実施形態の交換システムの構成を示す図である。
【図９】第５の実施形態の交換機の構成を示すブロック図である。
【発明を実施するための形態】
【００１２】
以下、本発明の実施の形態について、図面を用いて説明する。なお、すべての図面において、同様な構成要素には同一の符号を付し、重複する説明は省略する。
【００１３】
（第１の実施形態）
図１は、本発明の第１の実施形態の交換システム１００の構成を示す図である。交換システム１００は、交換機１１０、１７０と、ネットワーク１５０と、ｎ台の電話機１２１−１２ｎ（ｎは自然数）を備える。電話機１２１−１２ｎは交換機１１０に接続されている。電話機１２１−１２ｎは、交換機１１０に接続された電話機、及び、交換機１７０に接続された電話機１６０と通話できる。ネットワーク１５０は、例えば公衆網や構内交換網である。電話機１２１−１２３は、同一の利用者Ａに利用される電話機であり、それぞれは異なる場所に置かれている。
【００１４】
図２は、第１の実施形態で用いられる交換機１１０の構成を示すブロック図である。交換機１１０は、電話機インタフェース１１１と、制御部１１２と、ネットワークインタフェース１１３とを備える。後述するように、交換機１１０は、さらに記憶部１１４を備えてもよい。電話機インタフェース１１１は、電話機１２１−１２ｎを交換機１１０に接続するためのインタフェースである。制御部１１２は、電話機１２１−１２ｎで行われる通話の発信処理や着信処理を行い、電話機インタフェース１１１に接続された電話機１２１−１２ｎを通話先の電話機と接続する。ネットワークインタフェース１１３は、交換機１１０を、ネットワーク１５０を介して交換機１７０に接続する。
【００１５】
電話機１２１−１２ｎは、発信した相手先の電話番号を発信履歴として記憶し、再ダイヤル機能によって発信履歴に記憶されている電話番号に発信できる。さらに、電話機１２１−１２ｎは、制御部１１２の制御によって、受話器が電話機に置かれた状態（オンフック状態）で、交換機１１０から指定された接続先へ発信することができる。
【００１６】
図３は、交換システム１００における、電話機１２１の発信処理の手順を示す図である。図３には電話機１２１から電話機１６０への発信について記載されているが、電話機１２２又は１２３からの発信についても処理は同様である。
【００１７】
図３において、利用者Ａは電話機１２１から発信先の電話機１６０に発信する（ステップＳ１−Ｓ３）。電話機１２１には、電話機１６０への発信履歴が記録される（Ｓ１１）。交換機１１０は、電話機１２１からの発信を検知すると、ネットワーク１５０及び交換機１７０を介して接続された電話機１６０へ発信する（Ｓ２、Ｓ３）とともに、電話機１２２及び１２３に対する発信制御を行う（Ｓ４、Ｓ７）。ステップＳ４及びＳ７の発信制御では、交換機１１０は、電話機１２１の発信先の電話番号（すなわち電話機１６０の電話番号）を含む発信制御指示を電話機１２２及び１２３に送出する。
【００１８】
電話機１２２及び１２３は、交換機１１０からの発信制御指示を受信すると、発信制御指示から電話機１６０の電話番号を抽出して、当該電話番号に発信する（Ｓ５、Ｓ８）。この際、電話機１２２及び１２３にも、電話機１６０への発信履歴が記録される（Ｓ１２、Ｓ１３）。しかしながら、すでに電話機１２１が電話機１６０へ発信中であるため、電話機１２２及び１２３から電話機１６０への発信は話中となる。そして、交換機１１０は電話機１２２及び１２３からの発信を不完了呼として処理する（Ｓ６、Ｓ９）。電話機１２１からの発信に電話機１６０が応答すると、電話機１２１と電話機１６０との間で通話が可能となる（Ｓ１０）。
【００１９】
以上のように、電話機１２２及び１２３からの発信は不完了呼となるものの、ステップＳ５及びＳ８における交換機１１０からの制御による発信により、電話機１２２及び１２３には電話機１６０への発信履歴が残る。従って、利用者Ａは、電話機１２２及び１２３が備える再ダイヤル機能によって、電話機１６０へ発信することができる。
【００２０】
なお、制御部１１２は、ステップＳ５及びＳ８において、電話機１２２及び１２３から電話機１６０への発信を受けた際に、電話機１６０が話中かどうかを確認することなく、これらの発信を直ちに不完了呼として処理してもよい。
【００２１】
このように、第１の実施形態の交換システム１００は、交換機１１０からの発信制御により電話機１２２及び１２３が電話機１６０に発信するため、電話機１２１の発信先への発信記録を電話機１２２及び１２３に残すことができる。その結果、第１の実施形態の交換システム１００は、発信履歴を記録するためのデータベースの構築や、発信履歴をデータベースから収集する機能を電話機へ追加することなく、複数の電話機１２１−１２３で発信履歴を共有できる。
【００２２】
なお、交換機１１０は、図３で説明した機能を、制御部１１２のハードウェアにより実現させてもよく、あるいは、制御部１１２が備えるＣＰＵ（Central Processing Unit）に、プログラムを実行させることにより実現させてもよい。交換機１１０は、ＣＰＵにより実行されるプログラムを記憶させる半導体メモリ等の記憶部を備えていてもよい。
【００２３】
（第１の実施形態の変形例）
第１の実施形態では、電話機１２１−１２ｎのうち、電話機１２１−１２３の３台の電話機で発信履歴が共有される例について説明した。しかし、発信履歴の共有の対象となる電話機は、電話機１２１−１２３に固定されている必要はなく、必要に応じて変更されてもよい。例えば、交換機１１０は、電話機１２１−１２ｎのうち発信履歴の共有の対象となる２つ以上の電話機を、同一のグループに所属するように管理してもよい。そして、交換機１１０は、グループとそのグループに属する電話機との情報を記憶部１１４に記憶させてもよい。また、交換機は複数のグループを管理してもよい。
【００２４】
第１の実施形態の変形例においては、制御部１１２は、電話機１２１−１２ｎのいずれかからの発信を検知すると、記憶部１１４を参照し、発信元の電話機が属するグループを特定する。そして、制御部１１２は、発信元の電話機と同一のグループに属する電話機に対してのみ、図３のステップＳ４及びＳ７と同様の発信制御を行う。
【００２５】
図３で説明した例では、電話機１２１−１２３が同一のグループに属する電話機として管理される。制御部１１２は、電話機１２１から発信があった場合は、記憶部１１４を参照し、当該グループに属する他の電話機である電話機１２２及び１２３に対して図３のステップＳ４及びＳ７の発信制御を行う。なお、電話機１２１−１２ｎのうち、グループに属しない電話機があってもよい。グループに属しない電話機からの発信があった場合には、制御部１１２は、他の電話機に対してステップＳ４及びＳ７の発信制御を行わなくてもよい。
【００２６】
交換機１１０の管理者は、記憶部１１４の内容を交換機１１０の外部から書き換えることで、電話機１２１−１２ｎとグループとの対応を容易に変更することができる。その結果、第１の実施形態の変形例では、発信履歴の共有の対象となる電話機が柔軟に管理される。
【００２７】
（第２の実施形態）
図４は、第２の実施形態の交換システムにおける、電話機の発信処理の手順を示す図である。第２の実施形態における交換システム及び交換機の基本的な構成及び機能は、図１、図２で説明した第１の実施形態の交換システム１００及び交換機１１０と同様である。そして、第２の実施形態では、さらに、交換機１１０は電話機の利用者ごとに特殊番号（特番）及び特番に対応する識別子を記憶する。特番は、例えば「８」、「１１１」といった１文字以上の番号であり、仕様は交換機１１０で決定される。特番は、発信先の電話番号に先立って利用者によってダイヤルされる。また、第２の実施形態において、電話機１２１−１２ｎは、特番又は識別子毎に発信履歴を管理する機能をさらに備える。交換機１１０は特番と識別子との対応関係を記憶しており、特番が付加された発信を検知した場合には、相手先の電話機１６０の電話番号とともに特番に対応する利用者Ａの識別子を電話機１２２及び１２３に通知して、発信制御を行う。交換機１１０から通知された識別子は、電話機１２２及び１２３において、通知された電話番号（ここでは電話機１６０の電話番号）と対応づけられて記憶される。
【００２８】
図４において、電話機１２１の利用者Ａは発信先の電話機１６０に特番を付加して発信する（ステップＳ２１）。すなわち、利用者Ａは、まず特番をダイヤルし、続いて電話機１６０の電話番号をダイヤルする。そして、電話機１２１には、電話機１６０への発信履歴が特番と対応して記録される（Ｓ３１）。交換機１１０は、電話機１２１から特番が付加された電話番号による発信を検知すると、ネットワーク１５０及び交換機１７０を介して接続された電話機１６０へ発信する（Ｓ２２，Ｓ２３）。そして、交換機１１０は、発信制御の際には、電話機１６０の電話番号及び識別子を含む発信制御指示を電話機１２２及び１２３に送出する（Ｓ２４、Ｓ２７）。
【００２９】
制御部１１２が電話機１２２及び１２３に対して行う発信制御によって、電話機１２２及び１２３は、ともに電話機１６０に発信する（Ｓ２５、Ｓ２８）。しかしながら、すでに電話機１２１が電話機１６０へ発信中であるため、電話機１２２及び１２３からの発信は話中となる。そして、交換機１１０は、電話機１２２及び１２３からの発信を不完了呼として処理する（Ｓ２６、Ｓ２９）。電話機１２１からの発信に電話機１６０が応答すると、電話機１２１と電話機１６０との間で通話が可能となる（Ｓ３０）。
【００３０】
電話機１２２及び１２３からの発信は不完了呼となるものの、ステップＳ２５及びＳ２８における交換機１１０からの制御による発信により、電話機１２２及び１２３には電話機１６０への発信履歴が残る（Ｓ３２、Ｓ３３）。ここで、第２の実施形態では、電話機１２２及び１２３には識別子と電話機１６０の電話番号とが交換機１１０から通知される。その結果、電話機１２２及び１２３において、電話機１６０への発信履歴は識別子と対応づけられて記録される。
【００３１】
このような構成を備える第２の実施形態の交換システムも、第１の実施形態の交換システム１００と同様の効果を奏する。すなわち、第２の実施形態の交換システムは、発信履歴を記録するためのデータベースの構築や、発信履歴をデータベースから収集する機能を電話機へ追加することなく、複数の電話機１２１−１２３で発信履歴を共有できる。
【００３２】
さらに、第２の実施形態の交換システムにおいては、利用者Ａは、識別子と対応した発信履歴を参照して、電話機１２２及び１２３の再ダイヤル機能によって、電話機１２１が発信した電話機１６０へ発信することができる。例えば、利用者Ａは、電話機１２２または電話機１２３に識別子を入力することで、電話機１２２または電話機１２３から自分の発信履歴のみを容易に検索して、その電話から再ダイヤルできる。また、利用者Ａが識別子を秘匿することで、特番が使用された利用者Ａの発信履歴が利用者Ａ以外の利用者に参照されることを防ぐことができる。
【００３３】
なお、特番と識別子とは同一であってもよい。また、ステップＳ２４及びＳ２７において、交換機１１０は、識別子を用いずに特番をそのまま電話機１６０の電話番号とともに電話機１２２及び１２３に通知し、電話機１２２及び１２３は、電話機１６０への発信履歴を、特番と対応づけて記録してもよい。さらに、電話機１２１は特番と識別子との対応を記憶し、ステップ３１において、ダイヤルされた特番に対応する識別子と電話機１６０の電話番号とを対応づけて発信履歴として記録してもよい。
【００３４】
（第３の実施形態）
図５は、本発明の第３の実施形態の交換システム３００の構成を示す図である。交換システム３００は、交換機３１０と、ｎ台の電話機３２１−３２ｎ（ｎは自然数）を備える。電話機３２１−３２ｎは、交換機３１０を介して相互に通話でき、また、交換機３１０からネットワーク１５０を介して他の交換機１７０に接続された電話機１６０とも通話できる。電話機３２１−３２３は、同一の利用者Ａに利用される電話機であり、それぞれは異なる場所に置かれている。
【００３５】
図６は、第３の実施形態で用いられる交換機３１０の構成を示すブロック図である。交換機３１０は、電話機インタフェース３１１と、制御部３１２と、ネットワークインタフェース３１３とを備える。電話機インタフェース３１１は、電話機３２１−３２ｎを交換機に接続するためのインタフェースである。制御部３１２は、電話機３２１−３２ｎの通話の際の発信処理や着信処理を行い、電話機インタフェース３１１に接続された電話機３２１−３２ｎの回線を通話先の電話機と接続する。ネットワークインタフェース３１３は、交換機３１０を、ネットワーク１５０を介して交換機１７０に接続する。
【００３６】
電話機３２１−３２ｎは、発信先の電話番号及び着信した呼の発信元の電話番号を発信履歴あるいは着信履歴として記憶し、利用者の操作によって発信履歴及び着信履歴に記憶されている電話番号に発信できる。
【００３７】
図７は、交換システム３００における、電話機３２１の発信処理の手順を示す図である。電話機３２１の利用者は発信先の電話機１６０に発信する（ステップＳ５１、Ｓ５３、Ｓ５４）。ここで、電話機３２１には、電話機１６０の電話番号が発信履歴として記録される（Ｓ５２）。交換機３１０は、電話機３２１からの発信を検知すると、ネットワーク１５０及び交換機１７０を介して接続された電話機１６０へ発信する（Ｓ５３，Ｓ５４）。同時に、交換機３１０は、電話機３２２及び３２３に対して発信する（Ｓ５５、Ｓ５８）。ここで、電話機３２２及び３２３に対しては、電話機１６０の電話番号が発信元の電話番号として交換機３１０から通知される。
【００３８】
交換機３１０が電話機３２２及び３２３に対して行う発信によって、電話機３２２及び３２３には、電話機１６０の電話番号が着信履歴として記録される（Ｓ５６、Ｓ５９）。ここで、交換機３１０は、電話機３２２及び３２３への呼び出し開始後、発信を停止する（Ｓ５７、Ｓ６０）。電話機３２２及び３２３への呼び出しは、電話機３２２及び３２３が着信履歴を生成するために必要な時間だけ継続されればよい。なお、電話機３２１からの発信に電話機１６０が応答すると、電話機３２１と電話機１６０との間で通話が可能となる（Ｓ６１）。
【００３９】
従って、利用者Ａは、後刻、ステップＳ５６、Ｓ５９で記録された着信履歴から電話機３２１の発信先である電話機１６０の電話番号を検索して、電話機１６０へ発信することができる。
【００４０】
このように、第３の実施形態の交換システム３００は、交換機３１０から電話機３２２及び３２３への発信により、電話機１６０の電話番号を電話機３２２及び３２３に着信履歴として記録させる。その結果、交換システム３００は、電話機３２１の発信履歴を、電話機３２２及び３２３に着信履歴として記録させることができる。すなわち、第３の実施形態の交換システム３００は、発信履歴を記録するためのデータベースの構築や、発信履歴を収集する機能を電話機へ追加することなく、他の電話機の発信履歴を複数の電話機間で共有できるという効果を奏する。
【００４１】
特に、第３の実施形態の交換システムでは、電話機３２１−３２ｎは、発信履歴及び着信履歴に記録された電話番号に対して発信する機能があればよく、交換機からの発信制御により発信する機能を持たなくとも上記の効果を享受できる。
【００４２】
なお、第１の実施形態の変形例で説明したグループによる電話機の管理を、電話機３２１−３２ｎに適用してもよい。この場合、交換機３１０は、電話機３２１−３２ｎのいずれかからの発信を検知すると、交換機３１０が備える記憶部１１４を参照する。そして、交換機３１０は、発信元の電話機と同一のグループに属する電話機に対してのみ、図７のステップＳ５５、Ｓ５７、Ｓ５８及びＳ６０と同様の、電話機１６０の電話番号を通知した発信を行う。
【００４３】
（第４の実施形態）
図８は、本発明の第４の実施形態の交換システム４００の構成を示す図である。交換システム４００は、電話機１２１−１２ｎ、交換機４１０、ネットワーク１５０及び電話機１６０を備える。交換システム４００は、第１の実施形態の交換システム１００を、マルチリンギング機能を備えた交換機４１０を含む交換システムに適用したものである。
【００４４】
マルチリンギング機能は、発信元の電話機からマルチリンギング機能を備える交換機の配下の電話機への着信があった場合に、呼を複数の電話機に同時に着信させる。そして、交換機は、着信後に最初にオフフックとなった電話機と発信元との間で通話を可能とする。
【００４５】
交換システム４００が備える交換機４１０は、第１の実施形態の交換機１１０の機能に加え、マルチリンギング機能を備える。図８では、利用者Ａの電話機１２１−１２３が、マルチリンギングの対象となる電話機として交換機４１０に登録される例を示す。電話機１６０から利用者Ａの電話機への発信は、電話機１２１−１２３に同時に着信する。一方、電話機１２１−１２３の利用者Ａが電話機１２１から電話機１６０へ発信する際の動作は、第１の実施形態と同様である。従って、第４の実施形態の交換システム４００は、第１の実施形態の交換システム１００の効果に加えて、利用者Ａが不在のため発信者によるかけ直しを低減できるという効果をさらに奏する。
【００４６】
なお、発信履歴を共有させる複数の電話機と、マルチリンギング機能の対象となる複数の電話機とが一致していない場合でも、発信履歴の共有、及び、マルチリンギング機能による複数の電話機への着信は、それぞれの電話機において実現される。すなわち、発信履歴を共有させる複数の電話機と、マルチリンギングの対象となる複数の電話機とは、必ずしも一致している必要はない。
【００４７】
第４の実施形態では、第１の実施形態の交換システム１００を、マルチリンギング機能を備えた交換システムに適用した場合について説明した。しかしながら、マルチリンギングの対象となる交換システムは、第１の実施形態の交換システム１００に限られない。例えば、第１の実施形態の変形例並びに第２及び第３の実施形態で説明した交換システムを、マルチリンギング機能を備えた交換システムに適用した構成も、マルチリンギング機能による効果を享受できる。
【００４８】
（第５の実施形態）
図９は、本発明の第５の実施形態の交換機５１０の構成を示すブロック図である。交換機５１０は、電話機インタフェース５２０と、制御部５３０とを備える。
【００４９】
電話機インタフェース５２０は、交換機５１０に接続される複数の電話機のインタフェースである。制御部５３０は、電話機インタフェース５２０に接続される電話機のいずれかである第１の電話機からの発信を検知すると、第１の電話機の発信先の電話番号を第１の電話機以外の、電話機インタフェース５２０に接続された他の電話機である第２の電話機に通知する。また、第２の電話機は、通知された電話番号を記憶するとともに、記憶された電話番号へ発信する機能を備える。
【００５０】
その結果、第２の電話機には第１の電話機の発信先の電話番号が通知されるため、第２の電話機は、第１の電話機と発信先の電話番号を共有できる。すなわち、第５の実施形態の交換機は、発信履歴を共有するためのデータベースの構築や電話機への機能追加を行うことなく、複数の電話機間での発信履歴の共有を可能とする。
【００５１】
以上、実施形態を参照して本願発明を説明したが、本願発明は上記の実施形態に限定されない。本願発明の構成や詳細には、本願発明のスコープ内で当業者が理解し得る様々な変更をすることができる。また、第１乃至第５の実施形態の構成は排他的なものではなく、それらを組み合わせて交換システムを構成してもよい。
【符号の説明】
【００５２】
１００  交換システム
１１０、１７０、３１０、４１０、５１０  交換機
１１１、３１１、５２０  電話機インタフェース
１１２、３１２、５３０  制御部
１１３、３１３  ネットワークインタフェース
１１４  記憶部
１２１−１２ｎ、３２１−３２ｎ、１６０  電話機
１５０  ネットワーク
【図１】
2015056827.tif 000003
【図２】
2015056827.tif 000004
【図３】
2015056827.tif 000005
【図４】
2015056827.tif 000006
【図５】
2015056827.tif 000007
【図６】
2015056827.tif 000008
【図７】
2015056827.tif 000009
【図８】
2015056827.tif 000010
【図９】
2015056827.tif 000011